(57)【要約】【課題】磁気テープカセットが収容される収容部への塵埃の侵入を防ぐ高い密閉性能を有し、更に高い剛性を有する磁気テープカセット用ケースの提供。【解決手段】蓋体底部３０と、該蓋体底部３０の周縁の少なくとも一部に接続された蓋体壁部３２〜３４とを備えた蓋体３と、底部２０と、該底部２０に接続され、該底部２０と共に磁気テープカセット５０を収容する収容空間を画成し、該収容空間内に収容された磁気テープカセット５０の周側面に当接して該磁気テープカセット５０を保持可能であり、かつその外周面が蓋体壁部３２〜３４の内周面と当接可能な壁部２１〜２４と、該壁部２２〜２４における、底部２０と接続された側とは反対側に接続され、底部２０と略平行に位置し、蓋体底部３０に当接可能な当接部２１ａ〜２４ａとを備えた本体２とを有してなり、前記蓋体が前記本体に対して回動可能に連結されてなる磁気テープカセット用ケース１である。【選択図】図１
2008117479.tif 000002
【特許請求の範囲】
【請求項１】
蓋体底部と、該蓋体底部の周縁の少なくとも一部に接続された蓋体壁部とを備えた蓋体と、
底部と、該底部に接続され、該底部と共に磁気テープカセットを収容する収容空間を画成し、該収容空間内に収容された前記磁気テープカセットの周側面に当接して該磁気テープカセットを保持可能であり、かつその外周面が前記蓋体壁部の内周面と当接可能な壁部と、該壁部における、前記底部と接続された側とは反対側に接続され、前記底部と略平行に位置し、前記蓋体底部に当接可能な当接部とを備えた本体とを有してなり、前記蓋体が前記本体に対して回動可能に連結されてなることを特徴とする磁気テープカセット用ケース。
【請求項２】
本体における壁部が、底部の周縁に沿ってかつ該周縁よりも内側に位置し、蓋体壁部の端部が、前記底部に当接可能な請求項１に記載の磁気テープカセット用ケース。
【請求項３】
蓋体壁部の端部に嵌合する溝部が、本体における底部に形成された請求項２に記載の磁気テープカセット用ケース。
【請求項４】
蓋体の一の壁部の外周面に第１の係合部が設けられ、本体に対して蓋体を回動させて、本体の壁部の外周面に蓋体壁部の内周面を当接させたときに前記第１の係合部に係合する第１の係止部が、本体の一の壁部に設けられた請求項１から３のいずれかに記載の磁気テープカセット用ケース。
【発明の詳細な説明】
【技術分野】
【０００１】
本発明は、放送局等において磁気テープカセットを収容して保護するために用いられる磁気テープカセット用ケースに関する。
【背景技術】
【０００２】
一般に、放送局等で用いられる磁気テープカセットは、市販のビデオテープカセットなどに比較して大型で重量が大きいため、落下時には磁気テープカセットにかかる衝撃が大きく、磁気テープカセットの損傷の原因となる。このため、磁気テープカセットが衝撃によって損傷することを防ぐため、保管や搬送時には専用の合成樹脂製の収容ケースに収容される。
【０００３】
従来の磁気テープカセット用ケースの一例としては、本体と、蓋体とを有し、前記本体と、蓋体とが連結された磁気テープカセット用ケースが知られている（例えば、特許文献１参照）。
【０００４】
図１１は、特許文献１に開示された従来の磁気テープカセット用ケースの構成を示す斜視図である。
図１１に示すように、従来の磁気テープカセット用ケース１は、ケース本体Ｂと、蓋体Ｃとが連結部Ｊを介して開閉自在に連結されると共に、ケース本体Ｂの底板２にはカセット収容空間を形成する枠体３が突設され、蓋体Ｃの天板４にはケース閉塞時に対応する枠体３の外周面を覆うように重合する周壁体５が突設され、該周壁体５の端縁が対向するケース内壁面と該端縁との間には補完的に嵌合する嵌合手段が設けられると共に、該嵌合手段の近傍には前記ケース本体と前記蓋体とを閉塞状態に保持する係止手段が設けられている。
また、前記係止手段は、前記嵌合手段の少なくとも一部分を圧入嵌合部とすることにより構成されている。
【０００５】
ところで、特許文献１に見られるような構成をなす従来の磁気テープカセット用ケースにおいては、上記のような剛性に加え、密閉性も求められる。
これは、磁気テープカセット用ケースに収容される磁気テープカセットの磁気テープには、塵埃の付着を避ける必要があるからである。
また、磁気テープに埃等の異物が付着していれば、磁気記録再生装置側の磁気ヘッドに傷をつけ、磁気ヘッドの摩耗を速める等の問題も生じるからである。即ち、密閉性の低い磁気テープカセット用ケースでは、異物の侵入によって磁気ヘッド、及び磁気テープの双方にダメージを与え、記録再生能を低下させるという問題があった。
【０００６】
特許文献１に開示された磁気テープカセット用ケースは、閉塞時に、ケース本体Ｂの枠体３の外壁、及び該枠体３の外側に形成された嵌合溝１２と、周壁体５とが嵌合することによって、密閉性が高められた構造をなしている。
しかしながら、枠体３、及び周壁体５はそれぞれ、底板２、及び天板４から略垂直に立設されている構成をなしているため、枠体３と、周壁体５との位置合わせの精度が低いと、間隙が生じやすい構造であった。特に、天板４に対しては、枠体３の上端面が当接するだけなので、更なる密閉性向上が望まれていた。
【０００７】
【特許文献１】特開平８−１０４３８７号公報
【発明の開示】
【発明が解決しようとする課題】
【０００８】
本発明は、従来における前記問題を解決し、以下の目的を達成することを課題とする。即ち、本発明は、磁気テープカセットが収容される収容部への塵埃の侵入を防ぐ高い密閉性能を有し、更に高い剛性を有する磁気テープカセット用ケースを提供することを目的とする。
【課題を解決するための手段】
【０００９】
前記課題を解決するための手段としては、以下の通りである。即ち、
＜１＞  蓋体底部と、該蓋体底部の周縁の少なくとも一部に接続された蓋体壁部とを備えた蓋体と、
底部と、該底部に接続され、該底部と共に磁気テープカセットを収容する収容空間を画成し、該収容空間内に収容された前記磁気テープカセットの周側面に当接して該磁気テープカセットを保持可能であり、かつその外周面が前記蓋体壁部の内周面と当接可能な壁部と、
該壁部における、前記底部と接続された側とは反対側に接続され、前記底部と略平行に位置し、前記蓋体底部に当接可能な当接部とを備えた本体とを有してなり、前記蓋体が前記本体に対して回動可能に連結されてなることを特徴とする磁気テープカセット用ケースである。
該＜１＞に記載の磁気テープカセット用ケースにおいては、本体に対して蓋体を回動させて、本体の底部、及び該底部に接続された４つの壁部によって画成される収容空間と、蓋体底部とによって収容部が形成されたときに、蓋体底部に当接する当接部の面積が、従来のように当接部が設けられていない壁部における上端面の面積よりも大きいので、前記収容部における密閉性が向上する。また、本体の壁部の上端面よりも面積が大きい前記当接部の当接面によって蓋体を支持するため、前記底部、及び蓋体底部方向からの剛性も向上する。
＜２＞  本体における壁部が、底部の周縁に沿ってかつ該周縁よりも内側に位置し、蓋体壁部の端部が、前記底部に当接可能な前記＜１＞に記載の磁気テープカセット用ケースである。
該＜２＞に記載の磁気テープカセット用ケースにおいては、本体における壁部が、底部の周縁に沿ってかつ該周縁よりも内側に位置することによって、前記壁部の外周にフランジ部が形成されることとなり、該フランジ部に対して前記蓋体壁部の端部が当接するので、本体の壁部の外周面と、蓋体壁部の内周面とによる当接と併せて、前記収容部と外部とが連通することを防ぎ、前記収容部における密閉性が向上する。
＜３＞  蓋体壁部の端部に嵌合する溝部が、本体における底部に形成された前記＜２＞に記載の磁気テープカセット用ケースである。
該＜３＞に記載の磁気テープカセット用ケースにおいては、蓋体壁部の端部が嵌合する形状をなす溝部が、フランジ部に形成されているので、磁気テープカセット用ケースを閉める動作として、本体の壁部の外周面に、蓋体壁部の内周面を当接させたとき、フランジ部（底部）と、蓋体壁部との密着により、収容部における密閉性が更に高くなる。
＜４＞  蓋体の一の壁部の外周面に第１の係合部が設けられ、蓋体を回動させて、本体の壁部の外周面に蓋体壁部の内周面を当接させたときに前記第１の係合部に係合する第１の係止部が、本体の一の壁部に設けられた前記＜１＞から＜３＞のいずれかに記載の磁気テープカセット用ケースである。
【発明の効果】
【００１０】
本発明によると、従来における諸問題を解決でき、磁気テープカセットが収容される収容部への塵埃の侵入を防ぐ高い密閉性能を有し、更に高い剛性を有する磁気テープカセット用ケースを提供することができる。
【発明を実施するための最良の形態】
【００１１】
以下、本発明の磁気テープカセット用ケースについて図面を参照して説明する。
【００１２】
（第１の実施形態）
＜磁気テープカセット用ケースの構成＞
図１は、本発明の第１の実施形態における磁気テープカセット用ケースの構成を示す斜視図であり、図２は、図１のＡ−Ａ断面図である。また、図３は、本体を蓋体によって閉塞したときのＡ−Ａ断面図である。なお、図２では、後述する収容空間に収容される磁気テープカセット５０を仮想的に示している。
図１、及び図２に示すように、本実施形態における磁気テープカセット用ケース１は、矩形をなす底部２０と、該底部２０の周縁部に形成されたフランジ部２０ａに沿って内側に、かつ枠状をなすように立設された壁部２１，２２，２３，２４とからなる本体２と、矩形をなす蓋体底部３０と、該蓋体底部３０の周縁部の３辺に立設された蓋体壁部３２，３３，３４とからなる蓋体３とを有している。
本体２の壁部２１〜２４は、磁気テープカセット５０を収容する収容空間を底部２０と共に形成する。
なお、壁部２１〜２４は、底面２０に接続（立設）されているが、壁部２１〜２４と、底面２０とは一体成型されてもよい。
また、蓋体壁部３２〜３４は、その内周面が、本体２の壁部２２〜２４の外周面に当接可能に形成される。具体的には、蓋体壁部３２の内周面と、壁部２２の外周面とが当接し、蓋体壁部３３の内周面と、壁部２３の外周面とが当接し、蓋体壁部３４の内周面と、壁部２４の外周面とが当接する。
また、蓋体壁部３２〜３４の端部は、フランジ部２０ａに当接可能な形状とされる。
ここで、蓋体壁部３２〜３４の内周面と、本体２の壁部２２〜２４の外周面との「当接」の態様としては、特に制限はなく、目的に応じて適宜選択することができ、例えば、蓋体壁部３２〜３４の内周形状と、本体２の壁部２２〜２４の外周形状とを略同じにすることによって「嵌合」する態様などが好ましい。このように、蓋体壁部３２〜３４の内周面と、本体２の壁部２２〜２４の外周面とが「嵌合」することによって、前記収容空間と、蓋体底面３０とによって形成される収容部Ｓ１における密閉性が向上する。
【００１３】
また、本体２の底部２０の一端面と、蓋体底部３０の一端面とが、連結体４によって連結されている。なお、該連結体４と、本体２の底部２０の一端面とが回動可能に連結され、連結体４と、蓋体底部３０の一端面とが回動可能に連結されている。
【００１４】
更に、壁部２１〜２４には、本体２の底部２０と略平行に対向するように本体２の周縁側に突出し、本体２に対して蓋体３を閉塞したときに蓋体底部３０に当接する当接部２１ａ，２２ａ，２３ａ，２４ａを有する。
また、壁部２１〜２４は、底部２０、及び壁部２１〜２４によって一時的に形成された収容空間に磁気テープカセット５０を収容したときに、該磁気テープカセット５０の上面（蓋部３の蓋体底部３０に当接する側の面）と、当接部２２ａ，２３ａとが略面一になるように形成される。
したがって、蓋体底部３０に対する当接部２１ａ，２２ａ，２３ａ，２４ａの「当接」の態様としては、特に制限はなく、目的に応じて適宜選択することができ、例えば、該磁気テープカセット５０の上面と、当接部２２ａ，２３ａとの平面性によって「密着」する態様が好ましい。このように、蓋体底部３０に対して当接部２１ａ，２２ａ，２３ａ，２４ａが密着することで、収容部Ｓ１における密閉性が向上する。
【００１５】
また、本体２に対して蓋体３を閉塞したときに、蓋体壁部３２〜３４のそれぞれの端面が嵌合する溝部２０ｂが、壁部２１〜２４の外側に形成されたフランジ部２０ａ上に、本体２の周縁部に沿って形成されている。
なお、本体２に対して蓋体３を閉塞したときに、当接部２１ａ，２２ａ，２３ａ，２４ａは、蓋体壁部３２〜３４の内周面に当接するため、底部２０の法線方向から見たときにおける、当接部２１ａ，２２ａ，２３ａ，２４ａの外形が、同じ方向から見たときの溝部２０ａの内形に略一致するように、壁部２１〜２４の形状が設定される。
【００１６】
また、本体２において、連結体４が連結された底部２０の一端（壁部２１が立設された側の端部）に対向するフランジ部２０ａ（壁部２４が立設された側の端部）には、連結部６を介してロック片５が設けられている。
ロック片５は、連結部６を介して壁部２１側へ折り畳むように可動に形成されており、ロック片５の先端部の壁部２４に対向する側には、第１の係止部５ａが形成されている。
一方、蓋体３において、連結体４に対向する壁部３４の外周面には、第１の係合部７が設けられている。
したがって、連結体４により本体２に対して蓋体３を一の回動方向に回動させて、本体２と、蓋体３とを嵌合させたとき、本体２に対して他の回動方向に蓋体３が回動しないように、第１の係合部７に対して第１の係止部５を係合させて、本体２に対して蓋体３を固定することができる。
また、本体２の底部２０には、図示はしないが、前記収容空間に収容される磁気テープのリール（図示せず）が不用意に回動しないように固定するリール係止リブが設けられている。
【００１７】
更に、本体２には、壁部２１，２２の内側（図４において２個ずつ）と、壁部２３，２４の内側（図４において１個ずつ）とに、四角柱形状を有する角ボス（図示せず）が形成されていることが好ましい。各角ボスは、テープカセット５０の外周を位置決めすることによって、テープカセット５０を本体２内でがたつかないように保持することができる。
【００１８】
図３は、本実施形態における磁気テープカセット用ケース１の本体２（フランジ部２０ａ）と、蓋体３との密閉構造を示す断面図である。
連結体４の連結部４ａ，４ｂにより、本体２に対して蓋体３を回動させて閉塞したとき、図３に示すように、蓋体壁部３２，３３（３４）のそれぞれの端面は、溝部２０ｂに嵌合し、かつ壁部２２，２３（２１，２４）の端面は、蓋体壁部３２，３３（３４）の内周面、及び蓋体底部３０に当接している。
したがって、蓋体壁部３２〜３４の端面が、フランジ部２０ａに形成された溝部２０ｂに嵌合し、本体２の壁部２１〜２４の端面が、蓋体壁部３２〜３４の内周面に当接し、当接部２１ａ，２２ａ，２３ａ，２４ａが蓋体底部３０に当接することによって、磁気テープカセット用ケースを閉じて本体２と蓋体３との嵌合がなされたときでも、高い密閉性を得ることができる。
【００１９】
図３において、底部２０、及び壁部２１，２２，２３，２４の各内周面によって画成される収容空間と、蓋体底部３０とによって形成される空間を、磁気テープカートリッジ５０が収容される収容部Ｓ１とする。また、フランジ部２０ａと、壁部２１，２２，２３，２４の外周面と、壁部３２，３３，３４の各内周面とによって形成される空間を収容部Ｓ２とする。
収容部Ｓ２には、磁気テープカートリッジ５０の付属品（取扱説明書など）が収容されることが好ましい。
【００２０】
このように、本実施形態の磁気テープカセット用ケースによれば、蓋体底部３０に当接する当接部２１ａ，２２ａ，２３ａ，２４ａが、本体２の底部２０上に立設された壁部２１〜２４に設けられているので、磁気テープカセットが収容され、底部２０と、壁部２１〜２４と、蓋体底部３０とによって形成される収容部Ｓ１の密閉性が向上し、収容部Ｓ１内への塵埃の侵入を軽減することができる。
また、従来のように当接部が設けられていない壁部における上端面よりも大きい面積をなす当接部２１ａ，２２ａ，２３ａ，２４ａが形成され、蓋体底部３０を支持するため、剛性も向上する。
更に、壁部２１〜２４に設けられ、かつ底面２０に対向するように延設された当接部２１ａ，２２ａ，２３ａ，２４ａが、蓋体底部３０に当接するため、収容部Ｓ２を備えることができ、該収容部Ｓ２に、付属品等を収容することができる。なお、収容部Ｓ１と収容部Ｓ２とは壁部２１〜２４で隔たれているため、前記付属品の脂粉などが磁気テープカセットに付着することを防ぐことができる。
【００２１】
また、近年では、収容される磁気テープカセットのサイズにかかわらず、磁気テープカセット用ケースのサイズを統一するニーズが高まっており、規定のサイズよりも小さな磁気テープカセットなどを確実に収容する磁気テープカセット用ケースが求められている。
本実施形態の磁気テープカセット用ケースによれば、壁部２１〜２４の寸法や位置関係によって、収容部Ｓ１の外形を適宜設定することができるため、高い剛性や高密閉性を維持しつつ、規定のサイズよりも小さな磁気テープカセットなどを確実に収容する収容部Ｓ１を備えた磁気テープカセット用ケースを提供することができる。
また、収容部Ｓ１の形成によって、付属品を収容する収容部Ｓ２を形成することができるため、収容スペースを有効に利用することができる。
【００２２】
なお、本実施形態では、当接部２１ａ，２２ａ，２３ａ，２４ａを形成した例について説明したが、当接部を形成する壁部については、特に制限はなく、目的に応じて適宜選択することができ、例えば、当接部２１ａのみの形成や、当接部２１ａ，２２ａのみを形成してもよい。
【００２３】
（第２の実施形態）
次に、本発明に係る磁気テープカセット用ケースの第２の実施形態について、図面を参照して説明する。
図４は、本発明に係る磁気テープ用ケースの第４の実施形態における第２の係合手段の構成を示す斜視図であり、図５は、図４のＢ−Ｂ断面図である。また、図６は、本体を蓋体によって閉塞したときのＢ−Ｂ断面図である。なお、図５及び図６では、収容空間に収容される磁気テープカセット５０を仮想的に示している。
【００２４】
図４、及び図５に示すように、本実施形態における磁気テープカセット用ケース１は、矩形をなす底部２０と、該底部２０の周縁部に形成されたフランジ部２０ａに沿って内側に、かつ枠状をなすように立設された壁部２１，２２，２３，２４とからなる本体２と、矩形をなす蓋体底部３０と、該蓋体底部３０の周縁部の三辺に立設された蓋体壁部３２，３３，３４とからなる蓋体３とを有している。
本体２の壁部２１〜２４は、磁気テープカセット５０を収容する収容空間を底部２０と共に形成する。
なお、壁部２１〜２４は、底面２０に接続（立設）されているが、壁部２１〜２４と、底面２０とは一体成型されてもよい。
また、蓋体壁部３２〜３４は、その内周面が、本体２の壁部２２〜２４の外周面に当接可能に形成される。具体的には、蓋体壁部３２の内周面と、壁部２２の外周面とが当接し、蓋体壁部３３の内周面と、壁部２３の外周面とが当接し、蓋体壁部３４の内周面と、壁部２４の外周面とが当接する。
また、蓋体壁部３２〜３４の端部は、フランジ部２０ａに当接可能な形状とされる。
ここで、蓋体壁部３２〜３４の内周面と、本体２の壁部２２〜２４の外周面との「当接」の態様としては、特に制限はなく、目的に応じて適宜選択することができ、例えば、蓋体壁部３２〜３４の内周形状と、本体２の壁部２２〜２４の外周形状とを略同じにすることによって「嵌合」する態様が好ましい。このようにすることで、前記収容空間と、蓋体底面３０とによって形成される収容部Ｓ１における密閉性が向上する。
【００２５】
また、本体２の底部２０の一端面と、蓋体底部３０の一端面とが、連結体４によって連結されている。なお、該連結体４と、本体２の底部２０の一端面とが連結部４ａによって回動可能に連結され、連結体４と、蓋体底部３０の一端面とが連結部４ｂによって回動可能に連結されている。
【００２６】
更に、壁部２２、及び壁部２３には、本体２の底部２０と略平行に対向し、かつ互いに所定間隔をもって対向するように位置し、本体２に対して蓋体３を閉塞したときに蓋体底部３０に当接する当接部２２ａ，２３ａを有する。
また、壁部２２、及び壁部２３は、底部２０、及び壁部２１〜２４によって一時的に形成された収容空間に磁気テープカセット５０を収容したときに、該磁気テープカセット５０の上面（蓋部３の蓋体底部３０に当接する側の面）と、当接部２２ａ，２３ａとが略面一になるように形成される。即ち、前記収容領域に磁気テープカセット５０が収容されたとき、壁部２２、及び壁部２３が磁気テープカセット５０の側面を挟持すると共に、磁気テープカセット５０の上面と、当接部２２ａ，２３ａとが略面一になるように、壁部２２、及び壁部２３の高さ、及び寸法が設定される。
したがって、底部２０、壁部２１〜２４、及び蓋体底部３０によって形成された空間は、底部２０、壁部２１〜２４の各内周面、及び蓋体底部３０によって形成される磁気テープカセット５０を収容する収容部Ｓ１と、底部２０、壁部２１〜２４の外周面、及び当接部２１ａ〜２４ａの各下面（底面２０に対向する面）によって形成される収容部Ｓ２とから構成されることとなる。
【００２７】
また、本体２に対して蓋体３を閉塞したときに、蓋体壁部３２〜３４のそれぞれの端面が嵌合する溝部２０ｂが、壁部２１〜２４の外側に、本体２の周縁部に沿って形成されている。
【００２８】
また、本体２において、連結体４が連結された底部２０の一端（壁部２１が立設された側の端部）に対向するフランジ部２０ａ（壁部２４が立設された側の端部）には、連結部６を介してロック片５が設けられている。
ロック片５は、連結部６を介して壁部２１側へ折り畳むように可動に形成されており、ロック片５の先端部の壁部２４に対向する側には、第１の係止部５ａが形成されている。
一方、蓋体３において、連結体４に対向する壁部３４の外周面には、第１の係合部７が設けられている。
したがって、連結体４により本体２に対して蓋体３を一の回動方向に回動させて、本体２と、蓋体３とを嵌合させたとき、本体２に対して他の回動方向に蓋体３が回動しないように、第１の係合部７に対して第１の係止部５を係合させて、本体２に対して蓋体３を固定することができる。
また、本体２の底部２０には、図示はしないが、収容部Ｓ１に収容される磁気テープのリール（図示せず）が不用意に回動しないように固定するリール係止リブが設けられている。
【００２９】
更に、本体２には、壁部２１，２２の内側（図４において２個ずつ）と、壁部２３，２４の内側（図４において１個ずつ）とに、四角柱形状を有する角ボス（図示せず）が形成されていることが好ましい。各角ボスは、テープカセット５０の外周を位置決めすることによって、テープカセット５０を本体２内でがたつかないように保持することができる。
【００３０】
図４は、本実施形態における磁気テープカセット用ケース１の本体２（フランジ部２０ａ）と、蓋体３との密閉構造を示す断面図である。
連結体４の連結部４ａ，４ｂにより、本体２に対して蓋体３を回動させて閉塞したとき、図４に示すように、蓋体壁部３２，３３（３４）のそれぞれの端面は、溝部２０ｂに嵌合し、蓋体壁部３２，３３（３４）のそれぞれの内周面が、壁部２２，２３（２１，２４）に当接し、かつ当接部２２ａ，２３ａ、及び磁気テープカセット５０の上面は、蓋体底部３０に当接している。
したがって、磁気テープカセット用ケースを閉じて本体２と、蓋体３との当接（嵌合）がなされたときでも、壁部２１〜２４、及び壁部３２〜３４と、当接部２２ａ，２３ａ、磁気テープカセット５０の上面、及び蓋体底部３０とが略全面で当接することとなるので、収容部Ｓ１は高い密閉性を得ることができる。
【００３１】
図４において、底部２０、壁部２１〜２４、及び蓋体底部３０によって形成された空間は、壁部２２の端部、及び壁部２３の端部によって挟持される磁気テープカセット５０を収容する収容部Ｓ１と、底部２０、壁部２１〜２４の外周面、及び当接部２１ａ〜２４ａの各下面によって形成される収容部Ｓ２とが形成されることとなる。
収容部Ｓ２には、磁気テープカートリッジ５０の付属品（取扱説明書など）が収容されることが好ましい。
【００３２】
このように、本実施形態の磁気テープカセット用ケースによれば、当接部２２ａ，２３ａが、互いに内方に延設された態様をなし、蓋体底部３０に当接するので、磁気テープカセット５０が収容される収容部Ｓ１の密閉性が向上し、収容部Ｓ１内への塵埃の侵入を軽減することができる。
また、従来のように当接部が設けられていない壁部２１〜２４における上端面の面積よりも大きい面積をなす当接部２２ａ，２３ａによって蓋体底部３０を支持するため、剛性も向上する。
更に、蓋体底部３０に当接する当接部２２ａ，２３ａを形成したため、壁部２２，２３と、底部２０との間に収容部Ｓ２を備えることができ、該収容部Ｓ２に、付属品５１等を収容することができる。
【００３３】
なお、本実施形態では、図４に示すように、当接部２２ａ（２３ａ）が壁部２２（２３）から内方に延設された形態を示したが、この形態に限られず、当接部２２ａ（２３ａ）が壁部２１、２４に連結されてもよい。このように当接部２２ａ（２３ａ）の形状を規定することにより、収容部Ｓ１における密閉性、及び剛性が更に向上し、磁気テープカセット５０の保持力を高めることができる。
【００３４】
（第３の実施形態）
次に、本発明に係る磁気テープカセット用ケースの第３の実施形態について、図面を参照して説明する。なお、本実施形態の説明において、上述の第１の実施形態と重複する説明は省略する。
図７は、本発明に係る磁気テープ用ケースの第２の実施形態における構成を示す斜視図である。
図７に示すように、本実施形態の磁気テープカセット用ケースの基本的な構成は、上述の第１の実施形態と同様であるが、本体２と、蓋体３とが連結体４によって連結されるのではなく、本体２の底部２０の一端面と、蓋体壁部３１の一端面とが、連結部４ａによって回動可能に直接連結されている構成が異なる。
なお、本実施形態の蓋体３の形状は、上述の第１の実施形態とは異なり、矩形をなす蓋体底部３０と、該蓋体底部３０の四辺を囲むようにして立設された枠形状の壁部３１〜３４とから構成される。
【００３５】
このように、本体２と、蓋体３との連結に連結体４を用いず、直接連結することにより、連結体４を設けたことによって形成されやすい間隙から塵埃が侵入することを軽減することができる。
特に、一般的な磁気テープカセット用ケースにおいては、着脱（収容）作業時にテープ露出部分に触れてしまうことを未然に防ぐために、前記テープ露出部分を連結体４側に向けて収容する傾向が高いので、本実施形態のような構成を採用することにより、塵埃が侵入しやすく、かつ前記テープ露出部分に近い本体、及び蓋体の連結部分における密閉性に顕著な効果を奏する。
【００３６】
（第４の実施形態）
次に、本発明に係る磁気テープカセット用ケースの第４の実施形態について、図面を参照して説明する。なお、本実施形態の説明において、上述の第１の実施形態と重複する説明は省略する。
図８は、本発明に係る磁気テープ用ケースの第４の実施形態における第２の係合手段の構成を示す斜視図である。また、図９は、本発明に係る磁気テープ用ケースの第４の実施形態における第２の係合手段の詳細な構成を示す要部拡大図である。また、図１０は、本発明に係る磁気テープ用ケースの第４の実施形態において磁気テープカセット用ケースを開閉する状態を示す断面図である。
【００３７】
図８に示すように、本実施形態の磁気テープカセット用ケースの基本的な構成は、上述の第１の実施形態と同様であるが、本体２の壁部２１，２４が当接部２１ａ，２４ａを形成せず、底部２０から立設するのみの形状となり、該壁部２４の外周面と、蓋体壁部３４の内周面とに第２の係合手段が設けられたことが異なる。
この第２の係合手段は、具体的には、切り欠き部２１ａの両側には第２の係合部８がそれぞれ形成されている。壁部２４側に位置する壁部３４の内面側両端部には、第２の係止部９が形成されている。蓋体３が閉じられる際に、第２の係合部８と第２の係止部９とが係合するように構成されている。
【００３８】
蓋体３には、蓋体底部３０の外縁部に周囲の３方を囲むように壁部３２，３３，３４が天板３３上にそれぞれ直立して形成されている。蓋体３を本体２に被せた状態で、壁部３１が本体２の正面に位置するよう形成され、壁部３２，３３が本体２の両側面に位置するように形成されている。
【００３９】
蓋体３には、蓋体底部３０の外縁部であって、壁部３２，３３，３４の端部寄りの位置に、高さの低い四角柱形状の角ボスが形成されている。各角ボスは、蓋体３が本体２に対して閉じられた際に、テープカセット５０の上面周縁部に当接することによって、テープカセット５０を安定的に支持する。
【００４０】
蓋体３は、壁部３２，３３，３４の内側に、蓋体底部３０の上面から壁部３２，３３，３４の上端近傍まで延設された四角柱形状の角ボスが形成されている。角ボスは、蓋体３が本体２に対して閉じられた際に、本体２の壁部２３，２４の外周面と蓋体壁部３２，３３の内周面との間に位置するように設けられ、閉じられた蓋体３が適正な位置になるように案内する。
【００４１】
本実施形態の磁気テープカセット用ケース１では、図９に示すように、第２の係合部８が壁部２４の外周面から突出するように形成されている。具体的には、第２の係合部８は、第２の係止部９と係合する凹部８ｂと、該凹部８ｂを囲うように突出部８ｃとが形成されている。突出部８ｃの上端から壁部２４に至るように傾斜面８ａが形成されている。
【００４２】
本実施形態のテープカセット用ケース１によれば、連結体４を介して蓋体３が回動されて本体２に閉じられるときに、蓋体３の第２の係止部９が、第２の係合部８に形成された傾斜面８ａに接触した状態で、第２の係合部８の凹部８ｂに向って案内されることで、該第２の係合部８と係合する。
【００４３】
また、本実施形態のテープカセット用ケース１では、図１０に示すように、各第２の係合部８が形成された壁部２４が、蓋体３を回動する際に、壁部３４における先端部３４ａの回動軌跡Ｃに対して壁部２１側に退いた位置に設けられている。
また、壁部２４における第２の係合部８の傾斜面８ａが、壁部３４の回動軌跡Ｃ上に配されている。言い換えると、第２の係合部８が形成された壁部２４が、蓋体３を閉じた状態で、第２の係止部９が形成された壁部３４から壁部２１側に退いた位置に設けられている。
【００４４】
本実施形態の磁気テープカセット用ケース１は、蓋体３が本体２に対して閉じられることにより、第２の係合部８に第２の係止部９がそれぞれ係合されてロックした後に、さらに、ロック片５が連結部６を介して図８中の上方に向けて立ち上げることにより、第１の係止部５ａが蓋体３の第１の係合部７に係合されてロックする、所謂、ダブルロックする構成である。
【００４５】
このような構成を採用することによって、蓋体３を閉じた状態となるように該蓋体３を回動するときに、蓋体壁部３４の端面３４ａが本体２の壁部２４の端面に衝突することをより確実に抑制することができる。
【００４６】
ここで、図９に示すように、第２の係合部８の凹部８ｂと本体２の周縁辺との間には、凹部８ｂをスライドコアで成形した際に、アンダーカットとならないように本体２の底部２０と平行な面を有するフランジ部２０ａが形成されている。
一般に、蓋体３と本体２との間から塵埃が侵入することを防止するため、両者が噛み合うように、本体２における蓋体３が当接する位置にアンダーカットによって本体２における底板外周面側に窪むように構成されている。
本願においては、第２の係合部８における蓋体３と本体２とのロック構造となるため、このロックしている箇所では塵埃の侵入を防止できるため、アンダーカットが不要となる。
また、蓋体３の第２の係止部９が設けられた箇所の壁部３４における先端３４ａには切欠部３４ｂが形成され、蓋体３を本体２に閉じた際に、切欠部３４ｂがフランジ部２０ａの逃げ部となる。
このため、アンダーカットをなくすことで、磁気テープカセット用ケース１の成形がより簡単に行うことができ、製造コストを低減できる。
【００４７】
以上説明したように、本発明に係る磁気テープカセット用ケースによれば、従来における諸問題を解決でき、本体の壁部に形成された当接部が、蓋体底部に当接する態様で設けられるので、収容部に塵埃等が侵入することが各段に軽減され、密閉性が向上するので、磁気テープカセットの磁気テープに塵埃等が付着することを防ぐことができる。
また、従来のように、立設された本体の壁部の端面によって蓋体を支持するのではなく、立設された本体の壁部に接続された当接部によって蓋体を支持するので、磁気テープカセットとしての剛性が向上する。
【産業上の利用可能性】
【００４８】
本発明の磁気テープカセット用ケースは、収容対象である磁気テープカセットを収容する収容部を構成する本体の壁部に当接部を設けたことにより、密閉性、及び剛性が向上しただけでなく、複数の収容部を形成することが可能となったため、磁気テープカセット用ケースとしてのサイズを変えることなく、様々なサイズの磁気テープカセットや、付属品を収容することができ、内部に塵埃が侵入することを避けたい様々な態様の記録媒体の収容ケースとして利用することができる。
【図面の簡単な説明】
【００４９】
【図１】図１は、本発明の第１の実施形態における磁気テープカセット用ケースの構成を示す斜視図である。
【図２】図２は、図１のＡ−Ａ断面図である。
【図３】図３は、本発明の第１の実施形態における磁気テープカセット用ケースの本体と、蓋体との密閉構造を示す断面図である。
【図４】図４は、本発明の第２の実施形態における磁気テープカセット用ケースの構成を示す斜視図である。
【図５】図５は、図４のＣ−Ｃ断面図である。
【図６】図６は、本発明の第２の実施形態における磁気テープカセット用ケースの本体と、蓋体との密閉構造を示す断面図である。
【図７】図７は、本発明の第３の実施形態における磁気テープカセット用ケースの構成を示す斜視図である。
【図８】図８は、本発明の第４の実施形態における磁気テープカセット用ケースの構成を示す斜視図である。
【図９】図９は、本発明の第４の実施形態における第２の固定部材の構成を示す斜視図である。
【図１０】図１０は、本発明の第４の実施形態における磁気テープカセット用ケースの開閉状態を示す図である。
【図１１】図１１は、従来の磁気テープカセット用ケースの構成を示す斜視図である。
【符号の説明】
【００５０】
１      磁気テープカセット用ケース
２      本体
３      蓋体
４      連結体
４ａ      連結部
４ｂ      連結部
５      ロック片
５ａ      第１の係止部
６      連結部
７      第１の係合部
８      第２の係合部（係合部）
８ａ      傾斜面
８ｂ      凹部
８ｃ      突出部
９      第２の係止部（係止部）
２０      底部
２０ａ      フランジ部
２１      壁部
２２      壁部
２３      壁部
２４      壁部
２１ａ      当接部
２２ａ      当接部
２３ａ      当接部
２４ａ      当接部
３０      底部
３１      壁部
３２      壁部
３３      壁部
３４      壁部
５０      磁気テープカセット
５１      付属品
Ｓ１      収容部
Ｓ２      収容部
【図１】
2008117479.tif 000003
【図４】
2008117479.tif 000004
【図７】
2008117479.tif 000005
【図８】
2008117479.tif 000006
【図２】
2008117479.tif 000007
【図３】
2008117479.tif 000008
【図５】
2008117479.tif 000009
【図６】
2008117479.tif 000010
【図９】
2008117479.tif 000011
【図１０】
2008117479.tif 000012
【図１１】
2008117479.tif 000013